(57)【要約】【課題】従来の消火容器に比較して、薄型で取付容易な平板型消火容器を提供することを目的としたものである。【解決手段】平板型消火容器１の側面には各々、消火剤及び加圧ガス供給口１１および圧力検知口１３が設けられており、各々、バルブ付き栓１２および圧力計１４が取付けられて密封可能になっている。そして、上板３と下板４は、区画５を形成する側板６、及び、リブ７との接触部を、例えば、接着剤や、ロー付け、若しくは、溶接等により、強固に接合されており、区画５はリブ７で補強された圧力容器として機能するようになっている。そして、平板型消火容器１の四隅には天井等に取付けるための取付穴１０が設けている。【選択図】      図１
2004337369.tif 000002
【特許請求の範囲】
【請求項１】
消火剤及び加圧流体を貯留する消火容器において、平面を形成する上板と、前記上板に間隔をおいて配された平面を形成する下板と、前記上板と前記下板との間隙に設けられると共に前記上板と前記下板と共に密閉容器を形成する側板と、前記上板又は前記下板に設けられた密閉可能な板開口と、を有することを特徴とする消火容器。
【請求項２】
少なくとも前記上板又は下板の一が四辺形であることを特徴とする請求項１に記載の消火容器。
【請求項３】
前記板開口が消火剤を排出する消火剤排出口であることを特徴とする請求項１又は２に記載の消火容器。
【請求項４】
前記消火剤排出口にスプリンクラーヘッドを備えたことを特徴とする請求項３に記載の消火容器。
【請求項５】
前記密閉容器内を複数の区画に分ける少なくとも前記上板又は前記下板の一に接合される複数のリブと、前記リブに設けられたリブ開口と、少なくとも隣り合う前記リブの一と少なくとも前記上板又は前記下板の一に接合された仕切板と、前記下板又は前記上板と仕切板との間に設けられたスリットとを備えたことを特徴とする請求項１乃至４のいずれか一に記載の消火容器。
【発明の詳細な説明】
【０００１】
【発明の属する技術分野】
本発明は、消火剤と加圧ガスを貯留した平板型消火容器に関する。
【０００２】
【従来の技術】
従来の可搬式消火容器として、最も一般的な例として図８（ａ）に加圧式消火器５１を、図８（ｂ）に蓄圧式消火器６５を示す。図８（ａ）において、レバー５２を握ると破壊針５３が容器板５５を貫通して容器板５５を破板し、加圧用ガス容器５７内に蓄圧されていた炭酸ガス又は窒素ガス等の不燃性の加圧ガスがガス導入管５９を通ると共に、消火容器６０内に貯留されたＡＢＣ粉末消火剤等の消火剤を攪拌し、かつ圧力源となって、吐出管６１からホース６３を通ってノズルから消火剤を放射する構成になっている。
【０００３】
また、図８（ｂ）において、容器６７内には消火剤６９と共に炭酸ガス又は窒素ガス等の不燃性の加圧ガス７０が所定の圧力で蓄圧されており、レバー７１の操作で吐出管７３、ホース７５を経て消火剤が放射される。
【０００４】
加圧式消火器５１および蓄圧式消火器６５は床置き型で、人によって操作する必要があり、通常、人が容易に近づける所に特定の場所を定めてそのまま配置するか、格納箱を設けて収納配置したりしている。
【０００５】
また、図９には加圧式天井取付用消火器７６を示している。その構造は、天井の適当な位置に天井取付け金具７７によって固定され、吊り下げられている。そして、室内温度が上昇すると収熱板７８が加熱され、所定の設定温度に達するとスプリング７９を固定している溶解ハンダが溶けてスプリング７９を開放する。開放されたスプリング７９により、開封ピン８１が突き上げられ、炭酸ガスボンベ８３の封緘部８０を破り、炭酸ガスボンベ８３内の高圧の炭酸ガスがドーナツ型の消火剤タンク８５内に流れ込み、消火剤を攪拌すると同時に消火剤タンク８５内部が昇圧する。消火剤タンク８５内の圧力が一定圧になると、ノズルキャップ８７が外れて、消火剤がノズルから噴出する（例えば、特許文献１参照。）。
【０００６】
また、図１０に、天井噴射型の自動消火器を示す。天井噴射型の自動消火器は天井裏へ装着されている。本自動消火器の構造は、炭酸ガスボンベ９１の周囲にドーナツ状のタンクでなる消火器本体９３内に消火剤を充填してある。炭酸ガスボンベ９１の下部にはセンサー９５が設けられており、このセンサー９５の検知により、本消火器が作動するようになっている。本消火器を天井裏に取付けるために、先ず、天井板９６を適当な大きさにくり抜いて開口部を作り、その裏側に野縁９７を取付け、その間に、中央部に凹部を有する２本のブリッジ９８をかけ渡して、その上に消火器本体９３を載置して、さらにスペーサー９９によって高さを調整して消火器本体を固定し、最後に化粧カバー９４を固定用締め付け部材９２で装着している（例えば、特許文献２参照。）。
【０００７】
【特許文献１】
特開平０７−２１３６３８号公報（図１）
【特許文献２】
特開２００２−１３６６１６号公報（図３）
【０００８】
【発明が解決しようとする課題】
図９に示す方式による加圧式天井取付用消火器は、消火剤タンクがドーナツ形状で大きく、且つ、炭酸ガスボンベ上部に突出しているためその占有する容積スペースが大きくなる。また、図１０に示す方法では、天井に開口部を設けるなど建屋の改造が必要であり、工事が複雑で設置費用が多額になる等の問題がある。
【０００９】
本発明は、天井に開口部を設けるなどの改造を必要としないと共に、工事が複雑で設置費用が多額になる不具合をなくし、薄型で取付容易な平板型消火容器を提供することを課題としたものである。
【００１０】
【課題を解決するための手段】
上記課題を解決するために、請求項１に記載の本発明は、消火剤及び加圧流体を貯留する消火容器において、平面を形成する上板と、前記上板に間隔をおいて配された平面を形成する下板と、前記上板と前記下板との間隙に設けられると共に前記上板と前記下板と共に密閉容器を形成する側板と、前記上板又は前記下板に設けられた密閉可能な板開口と、を有することを特徴とする。
【００１１】
平板型消火容器は上板と下板とが間隔をおいて構成されており、上板及び下板は適当な厚さの平板であり、上板及び下板の間隙には適当な巾と深さの側板が形成され、密閉容器を形成している。密閉容器内は紛体又は流体の消火剤及び大気圧以上の加圧流体等の流動体が相互に流動移動可能になっている。加圧流体には窒素ガス又は炭酸ガス等の不燃ガスが用いられるが、消火剤が気体の場合、消火剤を加圧流体と兼用できる。平板型消火容器の形状については角形、丸形いずれの形状にも容易に製作可能であり、また、厚みも側板の深さを変えることにより自由に選べるため、上記構成によれば、設置場所や周囲の調度品との調和を良好に保つことができ、さらに消火剤の貯留量も最適量に調節できる。上板又は下板には密閉可能な板開口が設けられ、通常時は消火容器の内部圧力が大気圧以上の加圧状態で維持される。圧力は消火剤の噴出量と噴出時間及び密閉容器の仕様等を考慮して決定される。
【００１２】
また、上記課題を解決するために、請求項２に記載の本発明は、請求項１に記載の消火容器において、少なくとも前記上板又は下板の一が四辺形であることを特徴とする。
【００１３】
上記構成によれば、前記上板又は下板を四辺形で形成することにより、製作上、材料のロスが少なく工作も容易であり、建屋に設置する場合においてもスペースが少なくすみ、経済的に設置できる。
【００１４】
また、上記課題を解決するために、請求項３に記載の本発明は、請求項１又は２に記載の消火容器において、前記板開口が消火剤を排出する消火剤排出口であることを特徴とする。
【００１５】
上記構成によれば、前記上板又は前記下板には密閉可能な板開口が設けられ、通常時は消火容器の内部圧力が加圧状態で維持され、使用時に板開口が開き、消化剤を板開口より噴出させることができる。前記上板又は前記下板に板開口が設けられているため、消火容器の取付面に対し鉛直に消火剤を噴出させることができる。
【００１６】
上記課題を解決するために、請求項４に記載の本発明は、請求項３に記載の消火容器において、前記消火剤排出口にスプリンクラーヘッドを備えたことを特徴とする。
【００１７】
上記構成によれば、先端部に設けた感熱部が異常温度を検知して作動することにより弁が開放され消火剤が噴出するようになっているスプリンクラーヘッドを備えることができる。スプリンクラーヘッドを設けることにより、特に消火剤が気体又は液体である場合に取付位置より周辺に消火剤を撒き散らせるのに有効である。
【００１８】
また、上記課題を解決するために、請求項５に記載の本発明は、請求項１乃至４のいずれか一に記載の消火容器において、前記密閉容器内を複数の区画に分ける少なくとも前記上板又は前記下板の一に接合される複数のリブと、前記リブに設けられたリブ開口と、少なくとも隣り合う前記リブの一と少なくとも前記上板又は前記下板の一に接合された仕切板と、前記下板又は前記上板と仕切板との間に設けられたスリットとを備えたことを特徴とする。
【００１９】
区画は前記上板又は前記下板の一に接合される複数のリブにより形成されるが、前記上板又は前記下板とリブを一体に、機械加工の他、ダイキャストまたは鋳物等により成形しても良い。また、リブによって区画を仕切る構造としているのでリブが補強材として機能し、プレートの肉厚を薄くしてガスの圧力に対する強度を保持できる。従って、消火容器の軽量化が可能となり、既存の部屋を補強等の改造を少なくして設置可能ならしめ、設備費の低廉化に貢献している。また、消火剤が液体である場合、リブ開口とスリットが消火剤の密閉容器内の流動性に有効である。
【００２０】
【発明の実施の形態】
以下、本発明の実施の形態を図に従って詳細に説明する。図１は本発明の第１の実施の形態に係る平板型消火容器の構造を示し、図１（ａ）は平面図、図１（ｂ）は図１（ａ）のＡ−Ａ視、図１（ｃ）は図１（ａ）のＢ−Ｂ視、図１（ｄ）は図１（ａ）のＣ−Ｃ断面、図１（ｅ）は図１（ａ）のＤ−Ｄ断面を示す。図２は本発明の第１の実施の形態に係る平板型消火容器への消火剤及び加圧ガスの充填法を示し、図２（ａ）は平面図、図２（ｂ）は図２（ａ）のＡ−Ａ断面を示す。図３は本発明の第１の実施の形態に係る平板型消火容器の作用を示し、消化剤の噴射状態を示す。図４は本発明の第１の実施の形態に係る平板型消火容器による自動消火器の天井への取付け状態を示す。図５は本発明の第２及び第３の実施の形態に係る平板型消火容器による自動消火器の壁面への取付け状態を示す。図６は本発明の第２の実施の形態に係る平板型消火容器の構造を示し、図６（ａ）は側面図、図６（ｂ）は図６（ａ）のＡ−Ａ断面図を示す。図７は本発明の第３の実施の形態に係る平板型消火容器の構造を示し、図７（ａ）は側面図、図７（ｂ）は図７（ａ）のＡ−Ａ断面図を示す。なお、図１乃至図７において、同じ構成の部分には同一の符号を付し、それらについての重複する説明は省略する。
【００２１】
（本発明の第１の実施の形態）
図１（ａ）乃至図１（ｃ）に示すように、本発明の第１の実施の形態に係る平板型消火容器１は上板３と下板４で構成されており、上板３は適当な厚さの平板であり、下板４には適当な巾と深さの区画５が形成されている。消火剤として界面活性剤を含む化学消火液を、また、加圧ガスとして窒素ガスを用いる。
【００２２】
平板型消火容器１の側面には各々、消火剤及び加圧ガス供給口１１および圧力検知口１３が設けられており、各々、バルブ付き栓１２および圧力計１４が取付けられて密封可能になっている。そして、上板３と下板４は、区画５を形成する側板６、及び、リブ７との接触部を、例えば、接着剤や、ロー付け、若しくは、溶接等により、強固に接合されており、区画５はリブ７で補強された圧力容器として機能するようになっている。軽量化のために、上板３、下板４、側板６及びリブ７は薄肉とすることが望ましい。そして、平板型消火容器１の四隅には天井等に取付けるための取付穴１０が設けている。
【００２３】
図１（ｄ）に示すように、平板型消火容器１の略中央部の区画５ａ、５ｂ、５ｃは２組の仕切板１５ａ、１５ｂによって、適当な間隔を保って区画５の長手方向に対向して分割して設けられている。仕切板１５ａ、１５ｂは相接するリブ７と密着して固定されており、下板４の底面との間にはスリット１７が設けてあり、適当な隙間が確保されている。また、上板３と強固に接合されているのはリブ７と同様である。
【００２４】
また、圧力検知口１３から遠い側の仕切板１５ａが固定されている、区画５ａを形成するリブ７の上板３の直近部には適当な径のガス連通孔１９が設けてある。そして対向して配設された仕切板１５ａ、１５ｂの中間部の区画５ｂには、その中央部に上方に向かって開かれた適当な径の穴２２を有する取付座２１が下板４の底面に密着して固定されており、取付座２１には穴２２に連通して下方向に向かって、スプリンクラーヘッド２５が取付けられている。スプリンクラーヘッド２５の構成は、先端部に設けた感熱部が異常温度を検知して作動することにより、弁が開放され消火剤が噴出するようになっている。
【００２５】
図１（ｄ）および図１（ｅ）に示すように、各々のリブ７の左右には、下板４の底面と接する位置に連通孔９が設けてあり、各々の区画５内の消火剤等の流動体が相互に流動移動可能になっている。
【００２６】
以上の説明は、上板３と下板４を接合して平板型消火容器を構成する場合について述べたが、前述の構造を一体に構成したものであっても本発明の技術的範囲に属することは言うまでもない。
【００２７】
図２（ａ）および図２（ｂ）に基づいて、消火剤３５および加圧ガス３７の充填法について説明する。図２において、先ず、平板型消火容器１の消火剤及び加圧ガス供給口１１を上向きに、略垂直になるように立てて設置し、バルブ付き栓１２を開放して、ここから液体の消火剤３５を注入する。このとき、リブ７及び仕切板１５ａ、１５ｂで隔てられた各々の区画５、５ａ、５ｂ、５ｃはリブ７に設けられた連通孔９および仕切板１５ａ、１５ｂのスリット１７によって連通しているため、一個の容器として機能し、消火剤３５の注入に従い、消火剤３５の界面２７は徐々に上昇する。そして、界面２７が所定の高さに達すると所定量が充填され、消火剤３５の注入を停止し、バルブ付き栓１２によって密閉する。
【００２８】
次いで、平板型消火容器１をそのままの姿勢を保ち、図示しないガスボンベ等からの供給配管のノズルをバルブ付き栓１２に接続し、窒素ガス等の加圧ガス３７を平板型消火容器１内に充填する。この時、圧力計１４によって適正な量の加圧ガス３７が充填されたことが確認される。
【００２９】
そして、平板型消火容器１内の加圧ガス３７の圧力が所定の圧力に達すると加圧ガス３７の供給を停止し、供給配管のノズルを抜き去る。この状態においては、リブ７と仕切板１５ａ、１５ｂで仕切られた区画５ａ、５ｂは消火剤３５のみが充填された状態にある。その後、平板型消火容器１を半転して略水平に保つと各々の区画５には所定の界面高さまで消火剤３５が満たされ、その上部空間は加圧ガス３７によって均一に加圧されている状態となる。
【００３０】
区画５ａに加圧ガス３７充填される作用を図２（ｂ）によって説明する。仕切板１５ａによって仕切られた区画５ａにおいては、ガス連通孔１９から、加圧ガスが導通されるので、他の区画５と同様に均一な圧力を確保できる。しかし、相互に対向して設けられた仕切板１５ａ、１５ｂによって構成された区画５ｂは、区画５ａのようにガス連通孔は設けてないので、周囲の加圧ガスの圧力によって、消火剤３５のみがスリット１７から流入して満たされたままの状態となる。
【００３１】
次いで図３に基づいて、本発明に係る平板型消火容器１の消火器の作動について説明する。図３において、スプリンクラーヘッド２５が異常温度を検知し、作動すると仕切板１５ａ、１５ｂによって仕切られた区画５ｂの消火剤３５が加圧ガス３７の圧力に押されてスプリンクラーヘッド２５から噴出する。そして、加圧ガス３７の圧力によって、消火剤３５が他の区画５より、連通孔９を経由して区画５ａ、５ｃに供給され、次いで、仕切板１５ａ、１５ｂの下部に設けられたスリット１７を通して、仕切板１５ａ、１５ｂ内部の区画５ｂに消火剤が順次供給され連続して噴出する。
【００３２】
このようにして、平板型消火容器１内の各々の区画５内に貯留されていた消火剤３５は、各区画５の界面２７を同一高さに保ちつつ、各連通孔９からスリット１７に移動し、穴２２を経てスプリンクラーヘッド２５から噴出する。そして、界面２７が徐々に低下し、スリット１７の高さに至ると加圧ガス３７が仕切板１５ａ、１５ｂ内部の区画５ｂに流入し、ついにスプリンクラーヘッド２５から加圧ガス３７が噴出するようになり、やがて、ガス圧力の低下と共に噴出が停止し、消火器としての機能が停止する。
【００３３】
以上のように本発明に係る平板型消火容器１によれば、消火に最も有効な消火剤を加圧ガスと混合することなく優先して噴出し、残留する消火剤を最小量とさせることが可能である。
【００３４】
図４は本発明に係る平板型消火容器１による自動消火器を取付ボルト２９によって、天井３１に取付けた例を示している。図４に示すように、四隅の取付ボルト４本で簡単に天井に取付け可能で、天井に開口部を設ける必要もなく、工事費を安くすることができる。
【００３５】
平板型消火容器１は薄形に製作可能であり、例えば蛍光灯３３等と並べて設置しても邪魔になったり影を作ったりすることが少ない。このことから、既存の部屋にそのままで自動消火器を設置可能であり、建屋の改造が不要となり、安価に設置ができる。
【００３６】
図６及び図７は、本発明に係る平板型消火容器を壁面等に取付けるのに都合の良い横型、及び、縦型に適用した場合について説明する。材質、接合方法、製造方法については、本発明の第１の実施の形態と共通であるので記載を省略する。なお、壁面等に取付けた場合は、上下板の区分が無くなるので、上板及び下板ともプレートと表記する。
【００３７】
（本発明の第２の実施の形態）
図６は横型の平板型消火容器１ａを示している。横型の平板型消火容器１ａは、プレート４０とプレート４１で構成されており、リブ７が略水平に配置されている。このリブ７の適宜の位置に適宜の数、大きさの連通孔４３が設けてある。そして、最下段のリブ７と側板６で構成された区画の略中央付近に２枚の仕切板４２を設け、区画５ａ、５ｂ、５ｃに分割している。更に、仕切板４２の下部には連通孔４４は設けてある。又、区画５ｂの略中央部には、実施例１にて説明した穴２２を設けた取付座２１を配備し、これにスプリンクラーヘッド２５を取付けるようにしている。この取付座２１の取付位置は区画５ｂの略中央に配備した例を示しているが、側板６と一体であっても、側板６に続いてその下部に設けても良い。また、穴２２は、水平に設けた例を示しているが、途中から上向き又は横向き曲がったものであっても良い。更に、取付穴１０が４隅に設けていることは本発明の第１の実施の形態と同じである。
【００３８】
（本発明の第３の実施の形態）
図７は縦型の平板型消火容器１ｂを示している。本発明の第２の実施の形態にて説明した横型の平板型消火容器１ａと異なる点についてのみ記載する。縦型の平板型消火容器１ｂはプレート４６とプレート４７で構成されており、リブ７は略垂直に配置されている。このリブ７の下端の位置に適宜の大きさの連通孔４４が設けてある。そして、中央部の２本のリブ７ａで構成された区画の略下端付近に仕切板４８を設け、区画５ａ、５ｂに分割している。尚、リブ７ａには区画５ａの下部付近に連通孔４５が、区画５ｂの下部には連通孔４４がそれぞれ設けてある。又、区画５ｂの略中央部には、実施例１にて説明した穴２２を設けた取付座２１を配備し、これにスプリンクラーヘッド２５を取付けるようにしていることは横型の平板型消火容器１ａと同じである。更にリブ７、７ａの上部にはガス連通孔１９が設けてある。
【００３９】
本発明の第２及び第３の実施の形態についての消火剤３５および加圧ガス３７の充填法は、本発明の第１の実施の形態と略同じであるので説明を省略するが、注入時と設置時の位置関係が同じであり、注入後の反転は不要である点が異なる。
【００４０】
同様に、消火容器の作動についても、詳細な説明を省略するが、作動時の消火剤３５の流れは図６に矢印で示しているように、消火剤３５が加圧ガス３７の圧力に押されてスプリンクラーヘッド２５から噴出し、加圧ガス３７の圧力によって、消火剤３５が他の区画５より、連通孔９を経由して区画５ａ、５ｃ又は区画５に供給され、消火剤が順次供給され連続して噴出する。従って、本発明の第１の実施の形態と同様に、平板型消火容器１ａ、１ｂ内の各々の区画５内に貯留されていた消火剤３５は、各区画５の界面２７を同一高さに保ちつつ、区画５ｂを経由してスプリンクラーヘッド２５から消火に最も有効な消火剤を加圧ガスと混合することなく優先して噴出し、残留する消火剤を最小量とさせることが可能である。
【００４１】
図５は本発明の第２及び第３の実施の形態に係る平板型消火容器１ａ、１ｂを取付ボルト２９によって、壁面３９に取付けた例を示している。本発明の第１の実施の形態と同様に、消火容器の厚みも比較的薄くし、設置場所や周囲の調度品との調和を良好に保つことができ、さらに消火剤の貯留量も最適量に調節できる。
【００４２】
【発明の効果】
以上説明したように、本発明によれば、平板型消火容器の形状については角形、丸形いずれの形状にも容易に安価に製作可能であり、また、厚みも側板の深さを変えることにより自由に選べるため、設置場所や周囲の調度品との調和を良好に保つことができ、さらに消火剤の貯留量も最適量に調節できる。
【００４３】
また、前記上板又は下板を四辺形で形成することにより、製作上、材料のロスが少なく工作も容易であり、建屋に設置する場合においてもスペースが少なくすみ、経済的に設置できる。
【００４４】
また、前記上板又は前記下板には密閉可能な板開口が設けられ、通常時は消火容器の内部圧力が加圧状態で維持され、使用時に板開口が開き、消化剤を板開口より噴出させることができる。前記上板又は前記下板に板開口が設けられているため、消火容器の取付面に対し鉛直に消火剤を噴出させることができる。
【００４５】
また、スプリンクラーヘッドを設けることにより、特に消火剤が気体又は液体である場合に取付位置より周辺に消火剤を撒き散らせることができる。
【００４６】
また、消火容器の軽量化が可能となり、既存の部屋を補強等の改造を少なくして設置可能ならしめ、設備費の低廉化ができる。また、消火剤が液体である場合、リブ開口とスリットが消火剤の密閉容器内の流動性に有効である。
【図面の簡単な説明】
【図１】本発明の第１の実施の形態に係る平板型消火容器の構造を示し、（ａ）は平面図、（ｂ）は（ａ）のＡ−Ａ視、（ｃ）は（ａ）のＢ−Ｂ視、（ｄ）は（ａ）のＣ−Ｃ断面、（ｅ）は（ａ）のＤ−Ｄ断面。
【図２】本発明の第１の実施の形態に係る平板型消火容器への消火剤及び加圧ガスの充填法を示し、（ａ）は平面図、（ｂ）は（ａ）のＡ−Ａ断面。
【図３】本発明の第１の実施の形態に係る平板型消火容器の作用を示し、消化剤の噴射の状態図。
【図４】本発明の第１の実施の形態に係る平板型消火容器による自動消火器の天井への取付けの状態図。
【図５】本発明の第２及び第３の実施の形態に係る平板型消火容器による自動消火器の壁面への取付け状態図。
【図６】本発明の第２の実施の形態に係る平板型消火容器の構造を示し、（ａ）は側面図、（ｂ）は（ａ）のＡ−Ａ断面図。
【図７】本発明の第３の実施の形態に係る平板型消火容器の構造を示し、（ａ）は側面図、（ｂ）は（ａ）のＡ−Ａ断面図。
【図８】従来の技術に係る可搬式消火器の構造図であって、（ａ）は加圧式消火器を、（ｂ）は蓄圧式消火器を示す図。
【図９】従来の技術に係る加圧式天井取付用消火器の構造図。
【図１０】従来の技術に係る天井噴射型の自動消火器の構造図。
【符号の説明】
１、１ａ、１ｂ  平板型消火容器
３  上板
４  下板
５  区画
７  リブ
９  連通孔
１５ａ、１５ｂ  仕切板
１７  スリット
１９  ガス連通孔
２２  穴
２５  スプリンクラーヘッド
３５  消火剤
３７  加圧ガス
４０  プレート
４１  プレート
４２  仕切板
４３  連通孔
４４  連通孔
４５  連通孔
４６  プレート
４７  プレート
４８  仕切板
【図１】
2004337369.tif 000003
【図２】
2004337369.tif 000004
【図３】
2004337369.tif 000005
【図４】
2004337369.tif 000006
【図５】
2004337369.tif 000007
【図６】
2004337369.tif 000008
【図７】
2004337369.tif 000009
【図８】
2004337369.tif 000010
【図９】
2004337369.tif 000011
【図１０】
2004337369.tif 000012